(57)【要約】      （修正有）【課題】簡単な構成により、開閉状態を視覚的に判別することができるジッパー袋を提供する。【解決手段】ジッパー袋１は、開口部４を有する袋本体２と、開口部４を周回するように設けられ、開口部４を開閉するためのジッパー３とを備えている。ジッパー３に、加圧すると発色する感圧発色剤が設けられている。【選択図】図１
0003224333.tif 000002
【実用新案登録請求の範囲】
【請求項１】
開口部を有する袋本体と、
前記開口部を周回するように設けられ、該開口部を開閉するためのジッパーと
を備えたジッパー袋であって、
前記ジッパーに、加圧すると発色する感圧発色剤が設けられていることを特徴とするジッパー袋。
【請求項２】
前記ジッパーは、突起が形成された凸状の雄型レールと、該突起と係合する溝が形成された凹状の雌型レールとにより構成され、
前記突起の表面と前記溝の表面の少なくとも一方に、前記感圧発色剤が設けられていることを特徴とする請求項１に記載のジッパー袋。
【請求項３】
前記感圧発色剤が、感圧インク、感圧マイクロカプセル、及び感圧カーボンからなる群より選択される少なくとも１種であることを特徴とする請求項１または請求項２に記載のジッパー袋。
【考案の詳細な説明】
【技術分野】
【０００１】
本考案は、開口部を開閉するためのジッパーを有するジッパー袋に関する。
【背景技術】
【０００２】
従来、袋の開口部における対向位置に、開閉可能なジッパーを一体的に設けたジッパー袋が知られている。
【０００３】
例えば、一枚のテープの同一面に凹型と凸型を平行に形成し、この凹型と凸型に沿って任意の着色又は模様が施された包装用ジッパー袋が提案されている。そして、このようなジッパー袋を使用することにより、閉じられている状態が判り易い包装用ジッパー袋を提供することができると記載されている（例えば、特許文献１参照）。
【０００４】
また、ベーステープの片面又は両面に、文字、図形、色彩等が印刷又は着色された袋用ジッパーテープを有するジッパー袋が提案されている。そして、ジッパーの咬合部において色分け等を行うことにより、咬合したときの色の変化により咬合状態を確認できると記載されている（例えば、特許文献２参照）。
【先行技術文献】
【特許文献】
【０００５】
【特許文献１】実開昭６４−４７６４３号公報
【特許文献２】特開２００３−１９１９６８号公報
【考案の概要】
【考案が解決しようとする課題】
【０００６】
ここで、上記特許文献１〜２に記載のジッパー袋においては、咬合部を構成する凹型と凸型（または、雄条と雌条）とを、例えば、別色に着色する必要があるため、開口部を開いた状態と閉じた状態における着色状態を記憶しておく必要があり、開閉状態の判断が困難になる場合があった。
【０００７】
そこで、本考案は、上述の問題に鑑みてなされたものであり、簡単な構成により、開閉状態を視覚的に判別することができるジッパー袋を提供することを目的とする。
【課題を解決するための手段】
【０００８】
上記目的を達成するために、第１の考案では、開口部を有する袋本体と、開口部を周回するように設けられ、開口部を開閉するためのジッパーとを備えたジッパー袋であって、ジッパーに、加圧すると発色する感圧発色剤が設けられていることを特徴とする。
【０００９】
上記構成によると、簡単な構成により、ジッパー袋の開閉状態を視覚的に判別することができる。
【００１０】
また、第２の考案では、第１の考案において、ジッパーは、突起が形成された凸状の雄型レールと、突起と係合する溝が形成された凹状の雌型レールとにより構成され、突起の表面と溝の表面の少なくとも一方に、感圧発色剤が設けられている。
【００１１】
また、第３の考案では、第１の考案または第２の考案において、感圧発色剤が、感圧インク、感圧マイクロカプセル、及び感圧カーボンからなる群より選択される少なくとも１種であることを特徴とする。
【考案の効果】
【００１２】
本考案によれば、簡単な構成により、開閉状態を視覚的に判別することができるジッパー袋を提供することができる。
【図面の簡単な説明】
【００１３】
【図１】本考案のジッパー袋の斜視図である。
【図２】本考案のジッパー袋におけるジッパーの構成を説明するための図である。
【考案を実施するための形態】
【００１４】
以下、本考案の実施形態を図面に基づいて詳細に説明する。なお、本考案は、以下の各実施形態に限定されるものではない。
【００１５】
図１は、本実施形態のジッパー袋１の斜視図であり、図２は本実施形態のジッパー袋におけるジッパーの構成を説明するための図である。
【００１６】
図１に示すように、ジッパー袋１は、袋本体２と、ジッパー３とを備えている。
【００１７】
袋本体２は、例えば、ポリアミド系樹脂、ポリエチレン系樹脂、及びポリプロピレン系樹脂等の気密性と透明性を確保することができる熱可塑性樹脂からなるフィルムにより形成されている。
【００１８】
また、袋本体２は、２枚のフィルムを溶着したものや、１枚の略長方形状のフィルムを、当該フィルムの長手方向の中央部分で折り返して溶着したものが使用できる。また、袋本体２は、ジッパー３が設けられる部分に開口部４を有している。
【００１９】
ジッパー３は、図１に示すように、袋本体２の開口部４を周回するように設けられており、ジッパー袋１を使用する際に袋本体２の開口部４を開閉するためのものである。
【００２０】
このジッパー３は、図１、図２に示すように、凸状の雄型レール５と凹状の雌型レール６により構成され、雄型レール５に形成された突起７と雌型レール６に形成された溝８とを係合させて、雄型レール５と雌型レール６とを噛み合わせることにより、袋本体２における開口部４が閉じて、袋本体２が密封状態となる構成となっている。
【００２１】
なお、ジッパー３を形成する材料は、例えば、ポリプロピレン系樹脂等の成型可能であり、透明性（または半透明性）を確保することができる可撓性のある樹脂を使用することができる。
【００２２】
ここで、本実施形態のジッパー袋１においては、ジッパー３に感圧発色剤が設けられている点に特徴がある。
【００２３】
より具体的には、雄型レール５の突起７の表面７ａと雌型レール６の溝８の表面８ａの少なくとも一方に、加圧すると発色する感圧発色剤１０が塗布されている。
【００２４】
この感圧発色剤１０としては、例えば、感圧インク、感圧マイクロカプセル、及び感圧カーボン等が挙げられる。
【００２５】
例えば、感圧マイクロカプセルは、所定以上の圧力を加えると、マイクロカプセル（数ミクロン〜数ミリメートルの直径を有する略球形状の容器）が破壊されるとともにマイクロカプセル内に封入された発色剤（例えば、顕色剤と接触した発色剤）が流出して発色する。従って、例えば、突起７の表面７ａと溝８の表面８ａに感圧発色剤１０である感圧マイクロカプセルを設け、突起７と溝８とを係合させて、突起７の表面７ａと溝８の表面８ａに設けられた感圧マイクロカプセルを加圧することにより、雄型レール５と雌型レール６とが噛み合わさって袋本体２の開口部４が閉じるとともに、マイクロカプセルが破壊されて発色剤が流出し、ジッパー３が発色することになる。
【００２６】
従って、例えば、ジッパー袋１の工場出荷時に、開口部４が閉じられていることをジッパー３の発色で確認することができるとともに、ジッパー３が発色した状態で開口部４が開いている場合は、一旦、閉じられた開口部４が何かの原因で開いたことが認識できるため、簡単な構成により、ジッパー袋１の開閉状態を視覚的に判別することが可能になる。
【００２７】
なお、雄型レール５の突起７の表面７ａと雌型レール６の溝８の表面８ａに、上述の感圧発色剤を含有する感圧フィルムを貼り付ける構成としてもよい。
【産業上の利用可能性】
【００２８】
以上に説明したように、本考案は、食品等を収納するためのジッパー袋として、特に有用である。
【符号の説明】
【００２９】
１    ジッパー袋
２    袋本体
３    ジッパー
４    開口部
５    雄型レール
６    雌型レール
７    突起
７ａ    突起の表面
８    溝
８ａ    溝の表面
１０    感圧発色剤
【図１】
0003224333.tif 000003
【図２】
0003224333.tif 000004